(57)【要約】【課題】  院内共通のデータペースにカプセル型医療装置のデータを、データベースに保存するのに適した状態で保存する。【解決手段】  カプセル型医療システム１は、嚥下或いは挿入等により体内に挿入され、撮像を行うカカプセル３と、体外に配置され、カプセル３から送られる生体情報を無線で受信し、記録する記録装置４と、この記録装置４に着脱可能に接続され、生体情報の表示を行う表示装置５と、表示装置５と接続され生体情報を格納／管理するデータサーバ７とからなり、表示装置５では生体情報を選択してデータサーバ７に転送すると共に、全ての生体情報をＤＶＤにバックアップすると生体情報を消去する。【選択図】  図１
2006020971.tif 000002
【特許請求の範囲】
【請求項１】
嚥下または体内挿入可能で複数の生体情報を取得するカプセル型医療手段と、
前記カプセル型医療手段から送られてきた前記複数の生体情報を受信する生体情報受信手段と、
前記生体情報受信手段が受信した前記複数の生体情報を格納する第１の生体情報格納手段と、
前記第１の生体情報格納手段に格納された前記複数の生体情報のうちの所望の生体情報を選択する情報選択手段と、
前記情報選択手段で選択された前記所望の生体情報を第２の生体情報格納手段に送信する情報送信手段と
を備えたことを特徴とするカプセル型医療システム。
【請求項２】
前記第１の生体情報格納手段に格納される前記複数の生体情報は、症例を判別する症例情報を有し、消去を禁止する消去禁止属性を付与され格納され、
前記情報送信手段による前記所望の生体情報の送信が完了すると、前記消去禁止属性を無効とする情報格納制御手段
を備えたことを特徴とする請求項１に記載のカプセル型医療システム。
【請求項３】
前記第１の生体情報格納手段に格納される前記複数の生体情報は、症例を判別する症例情報を有し、消去を禁止する消去禁止属性を付与され格納され、
前記第１の生体情報格納手段に格納された前記複数の生体情報を記録する、着脱自在で、再書込みのできない情報記録手段と、
前記情報記録手段に前記第１の生体情報格納手段に格納された前記複数の生体情報を保存すると、前記消去禁止属性を無効とする情報格納制御手段と
を備えたことを特徴とする請求項１に記載のカプセル型医療システム。
【請求項４】
前記生体情報は体腔内の画像データである
ことを特徴とする請求項１、２または３のいずれか１つに記載のカプセル型医療システム。
【発明の詳細な説明】
【技術分野】
【０００１】
本発明は生体情報を得るカプセル型医療システムに関する。
【背景技術】
【０００２】
近年、患者が飲み込み易いカプセル形状とすることにより、体内を検査し易くしたカプセル型の医療装置が提案されている。
【０００３】
例えば国際公開番号ＷＯ  ０３／０１０９６７号において、データプロセッサ（ＤＡＴＡ  ＰＲＯＣＥＳＳＯＲ  １４）の中に、ストレージ部（ＳＴＲＡＧＥ  １９）が開示されている。
【特許文献１】国際公開番号ＷＯ  ０３／０１０９６７号
【発明の開示】
【発明が解決しようとする課題】
【０００４】
しかし、上記国際公開番号ＷＯ  ０３／０１０９６７号においては、ストレージ部の詳細について、及び、保存されたデータの症例の記録を残す処理方法等についての記載は何らない。
【０００５】
カプセル型医療装置で長時間にわたって記録されるデータは膨大な情報量となる。例えば、カプセル内視鏡おいては、６時間程度の時間撮影を続けると撮影枚数が４万枚を超えてしまいデータ容量も２ＧＢ近くになってしまう。
【０００６】
しかしながら、この画像全てに疾患が写っている訳ではない。また、同一疾患であれば疾患が写っている画像全てが診断に必須ではない。
【０００７】
よって、診断結果から、治療方針の立案を行う、院内のカンファレンスで症例のレビューを行う、診断レポートを作成するなどの際に必要なデータは極めて限られたものでよいことになる。
【０００８】
この限られたデータは、病院内カルテシステム、病院内データペース、内視鏡画像データベースなど病院内共通のデーターベースに保存することで、医師の効率化等を期待することができる。
【０００９】
しかしながら、カプセル型医療装置で記録されたデータを上記データベースに保存することについての記載がされたものは現在存在していない。
【００１０】
本発明は、上記事情に鑑みてなされたものであり、院内共通のデータペースにカプセル型医療装置のデータを、データベースに保存するのに適した状態で保存することのできるカプセル型医療システムを提供することを目的としている。
【課題を解決するための手段】
【００１１】
本発明のカプセル型医療システムは、
嚥下または体内挿入可能で複数の生体情報を取得するカプセル型医療手段と、
前記カプセル型医療手段から送られてきた前記複数の生体情報を受信する生体情報受信手段と、
前記生体情報受信手段が受信した前記複数の生体情報を格納する第１の生体情報格納手段と、
前記第１の生体情報格納手段に格納された前記複数の生体情報のうちの所望の生体情報を選択する情報選択手段と、
前記情報選択手段で選択された前記所望の生体情報を第２の生体情報格納手段に送信する情報送信手段と
を備えて構成される。
【発明の効果】
【００１２】
本発明によれば、院内共通のデータペースにカプセル型医療装置のデータを、データベースに保存するのに適した状態で保存することができるという効果がある。
【発明を実施するための最良の形態】
【００１３】
以下、図面を参照しながら本発明の実施例について述べる。
【実施例１】
【００１４】
図１ないし図１４は本発明の実施例１に係わり、図１はカプセル型医療システムの構成を示すブロック図、図２は図１の記録装置及び表示装置の構成を示すブロック図、図３は図２の記録装置のＰＣカードメモリに格納されるデータのデータ構造を示す図、図４は図２の記録装置から表示装置へのデータ転送処理の流れを示すフローチャート、図５は図４の処理で表示装置に転送され表示装置のデータベース部に格納されるデータのデータ構造を示す図、図６は図１の表示装置でのデータ処理及びデータサーバへのデータ転送処理の流れを示す第１のフローチャート、図７は図１の表示装置でのデータ処理及びデータサーバへのデータ転送処理の流れを示す第２のフローチャート、図８は図５の処理で表示装置で生成されるカプセル内視鏡検査レポートを示す図、図９は図５の処理で表示装置に展開されるウインドウを示す第１の図、図１０は図５の処理で表示装置に展開されるウインドウを示す第２の図、図１１は図５の処理で表示装置に展開されるウインドウを示す第３の図、図１２は図５の処理で生成されるカプセル検査保存データのデータ構造を示す図、図１３は図５の処理でデータサーバの大容量記録装置に格納されるデータのデータ構造を示す図、図１４は図５の処理で更新された表示装置のデータベース部内のデータのデータ構造を示す図である。
【００１５】
（構成）
図１に示すように、本発明の実施例１のカプセル型医療システム１は、嚥下或いは挿入等により体内に挿入され、撮像を行うカプセル型体内ユニット３（以下、単にカプセルと略記）と、体外に配置され、このカプセル３から送られる生体情報を無線で受信し、記録する記録装置４と、この記録装置４に着脱（結合及び分離）可能に接続され、生体情報の表示を行う表示装置５と、表示装置５と接続され生体情報を格納／管理するデータサーバ７とからなり、記録装置４及び表示装置５は体外装置６を形成している。
【００１６】
なお、カプセル型医療手段は、カプセル３及び記録装置４より構成され、また表示装置５は、汎用のパーソナルコンピュータ（ＰＣ）等から構成される。
【００１７】
記録装置４は、カプセル３から送信される画像データを記録（蓄積）する構成として、小型及び軽量化して、患者が着る白衣やジャケット等に装着できるようにしており、動作確認等のために画像を表示する必要がある場合には記録装置４に画像を表示する機能を有する表示装置５とＵＳＢケーブル２６で接続することができるようにしている。
【００１８】
また、記録装置４には、カプセル３から送られる生体情報を記録するＰＣカードメモリ４５が着脱自在に設けられ、さらに表示装置５には記録装置４からの生体情報を格納／管理するデータベースを構築する第１の生体情報格納手段としてのデータベース部６０が設けられている。そして、表示装置５においては、データベース部６０内の生体情報を編集／選択することで、保存が必要な生体情報のみをデータサーバ７内の第２の生体情報格納手段としての大容量記録装置７ａに伝送／保存することが可能となっている。
【００１９】
データサーバ７は、内視鏡検査室等に設けられた他の複数の内視鏡システム８ａ、カンファレンス室に設けられたカンファレンスユニット８ｂ及び内視鏡検査の予約管理等を行う予約システム８ｃ等とも接続されており、これらシステム８ａ〜８ｃからのデータを一元管理することができるようになっており、院内ＬＡＮ９を介して院内の所定の端末から予め設定されたアクセス権の規定のセキュリティレベルでアクセス可能となっている。
【００２０】
図２に示すように、カプセル３は、カプセル状の密閉された収納容器１０における一方の端部（前端という）は半球状の透明部材で照明＆観察窓１１が形成された、この照明＆観察窓１１の中央部分に対向して対物光学系１２がレンズ枠に取り付けられて配置され、その周囲の例えば４箇所には照明手段を構成する発光素子として、例えば白色ＬＥＤ１３が配置されている。
【００２１】
対物光学系１２の結像位置には、生体の画像情報を得る画像センサとして例えばＣＭＯＳセンサ１４が配置され、このＣＭＯＳセンサ１４の背面側にはＣＭＯＳセンサ１４に対する信号処理を行い圧縮された画像データ（例えばＪＰＥＧデータ）を生成する信号処理回路１５、無線通信を行う通信回路１６と、ＣＭＯＳセンサ１４、信号処理回路１５等に動作用の電力を供給する複数のボタン型の電池１７とが配置されている。  
またＣＭＯＳセンサ１４に隣接する側部には、通信回路１６に接続され、体外の記録装置４（のアンテナ２１ａ〜２１ｃ）とで無線通信するための電波の放射及び受信をするアンテナ１８が配置され、また電池１７に隣接する後端には、その電力の供給のＯＮ／ＯＦＦを行うスイッチ１９が配置されている。また、ＣＭＯＳセンサ１４、信号処理回路１５、通信回路１６はフレキシブル基板２０により電気的に接続され、さらにフレキシブル基板２０はスイッチ１９を介して電池１７と接続されている。なお、画像センサはＣＭＯＳセンサ１４に限らず、例えばＣＣＤ等でもよい。
【００２２】
一方、体外の記録装置４は、複数のアンテナ２１ａ〜２１ｃが接続されたアンテナユニット２２と、このアンテナユニット２２が着脱自在に接続される筐体２３に収納された画像データを記録する記録処理ブロック２４及びこの記録処理ブロック２４等に電源を供給する電源ブロック２５とを備えている。  
この記録装置４は（この記録装置４から表示装置５にデータを伝送するデータ伝送手段として）例えばＵＳＢケーブル２６により表示装置５と切り離し（取り外し）可能に接続され、ＵＳＢケーブル２６を介して表示装置５を接続することにより記録装置４で受信された画像や、記録装置４に蓄積された画像を表示装置５側に伝送することができるようにしている。そして、表示装置５により、伝送された画像データを伸張処理して、表示面に表示したり、編集して複数の画像を同時に表示したりすることができるようにしている。
【００２３】
なお、ＵＳＢケーブル２６における記録装置４側となる一方の端子及び表示装置５側となる他方の端子共に、導電性端子が設けてあり、記録装置４のＵＳＢコネクタの導電性端子及び表示装置５のＵＳＢコネクタの導電性端子にそれぞれ着脱自在に接続できるようにしている。
【００２４】
アンテナユニット２２は、例えば内部或いは外部の表面が金属メッキ等のシールド加工されたプラスティック製の筐体２２ａでその外装ケースが形成され、その内部には同軸ケーブル３１によりそれぞれ接続されたアンテナ２１ａ〜２１ｃを切り替えるアンテナセレクタ３２と、アンテナ２１ａ〜２１ｃとこのアンテナセレクタ３２を介して接続された無線通信を行う高周波回路（ＲＦ回路と略記）３３と、このＲＦ回路３３により復調されたベースバンドの信号を生成するベースバンド回路（ＢＢ回路と略記）３４と、記録装置４と着脱自在に接続される接続用のコネクタ３５とを有する。
【００２５】
このアンテナユニット２２では、主にＲＦ回路３３を含む高周波信号を扱う部分がシールド及び封止されており、コネクタ３５の記録装置４との接続部はベースバンド信号（及びアンテナ切替信号）のみとなっており、信頼性及び動作の安定性を向上させている。  
記録装置４の筐体２３は、金属或いは（シールド加工された）プラスティック製で形成され、その内部に電源ブロック２５と、記録処理ブロック２４とが収納されている。
【００２６】
電源ブロック２５には、並列に配置された電池３６ａ、３６ｂと各電池３６ａ、３６ｂにそれぞれ直列に接続されたスイッチ３７ａ、３７ｂと、各電池３６ａ、３６ｂの電圧を監視して、スイッチ３７ａ、３７ｂの一方をＯＮ等する電源監視回路３８と、ＯＮされた電池と接続され、記録処理ブロック２４で必要とされる電圧値の直流電源に変換するＤＣ／ＤＣコンバータ３９とからなる。  
なお、ＤＣ／ＤＣコンバータ３９の直流電源は記録処理ブロック２４の他に、コネクタ３５を介してアンテナユニット２２側にも供給される。
【００２７】
記録処理ブロック２４は、記録装置４の制御を行うＣＰＵ４０と、主にアンテナユニット２２を制御するＣＰＵ４１と、両ＣＰＵ４０及び４１と接続され、時間管理を行い、画像を受信した場合の日時の情報を出力するリアルタイムクロック（ＲＴＣと略記）４２と、両ＣＰＵ４０及び４１と接続され、アンテナセレクタ３２と接続されるアドレスセレクタ４３と、このアドレスセレクタ４３に接続され、選択されたアンテナセレクタ３２からのデータを一時格納するメモリ（ＳＲＡＭ）４４と、両ＣＰＵ４０及び４１に接続され、ＰＣカードメモリ４５への書き込み制御を行うＰＣカードコントローラ４６と、このＰＣカードコントローラ４６に接続されたＰＣＭＣＩＡスロット４７と、このＰＣＭＣＩＡスロット４７に着脱可能に接続され、受信して復調された画像データ（ＪＰＥＧデータ）等を格納する例えばＣＦ（コンパクトフラッシュ（Ｒ））メモリ部を有するＰＣカードメモリ４５と、記録装置４に表示装置５がＵＳＢケーブル２６で接続されている場合に、ＵＳＢケーブル２６を介してデータを表示装置５に転送する処理を行うＵＳＢ  Ｉ／Ｆ部４８と、ＣＰＵ４１等に基準となるクロックＣＬＫを供給する発振器（ＯＳＣ）５０とを有する。
【００２８】
このように本実施例では、記録装置４と表示装置５とを別体で形成すると共に、データを伝送するＵＳＢケーブル２６で着脱可能とすることにより、カプセル３に対して記録装置４のみで使用できるようにすると共に、記録装置４と表示装置５とを接続した状態でも使用できるようにして、患者に対する負担軽減を行うこともでき、かつ操作性も確保できるようにしている。
【００２９】
また、ＣＰＵ４０或いは４１は、アンテナユニット２２により、カプセル３から画像データを受信する毎に、ＲＴＣ４２から時刻データを読み出し、受信した画像データ（具体的にはＪＰＥＧデータ）に時刻データを付加してタイムスタンプ付きの画像データをＰＣカードメモリ４５に保存する。
【００３０】
一方、表示装置５は、記録装置４からの画像データをデータ処理する装置本体部５ａと、装置本体部５ａで処理された映像信号としての例えばＲＧＢビデオ信号を入力することにより対応する画像を表示するモニタ５５と、装置本体部５ａに対して各種入力を行う情報選択手段としてのユーザインターフェイスであるキーボード５７及びマウス５８とを有する。
【００３１】
装置本体部５ａは、記録装置４のＵＳＢ  Ｉ／Ｆ部４８とＵＳＢケーブル２６で接続され、ＵＳＢ  Ｉ／Ｆ部４８側から送信される画像データとしてのＪＰＥＧデータを受け取る生体情報受信手段としてのＵＳＢ  Ｉ／Ｆ部５１と、このＵＳＢ  Ｉ／Ｆ部５１とバス７０を介して接続され、画像データの伸張処理等や表示装置５の動作制御を行う情報格納制御手段としてのＣＰＵ５２と、このバス７０に接続され、画像データの一時記憶やＣＰＵ５２の作業エリアとして使用されるメモリ５３と、このバス７０に接続され、ＣＰＵ５２により伸張処理された画像データに対して画像表示のための映像信号（例えばＲＧＢビデオ信号）に変換する処理を行いモニタ５５に画像を表示させる映像信号発生回路５４と、バス７０に接続され、ＣＰＵ５２に対して各種入力を行うキーボード５７やマウス５８と信号を送受する入力Ｉ／Ｆ回路５９と、バス７０に接続され、ＣＰＵ５２により伸張処理された画像データにキーボード５７及びマウス５８等により患者データを付与してデータベース化して記憶する共に各種アプリケーションソフト（例えば、電子カルテ作成ソフト、レポート作成ソフト、画像編集ソフト等）を格納しているハードディスク等から構成されるデータベース部６０とを有する。
【００３２】
ここで、データベース部６０における患者データとは、例えば患者を識別する患者ＩＤ，患者名、生年月日、生別等の情報である。
【００３３】
また、装置本体部５ａは、ＰＣカードメモリ４５が接続可能なＰＣカード装置や、ＤＶＤ６２にデータを記録させるＤＶＤ装置等の外部周辺機器とデータの送受を行う（第１の）通信Ｉ／Ｆ部６１と、データサーバ７とデータを送受する情報送信手段としての（第２の）通信Ｉ／Ｆ部６３とを有している。
【００３４】
そして、上述のように、この表示装置５がＵＳＢケーブル２６で記録装置４に接続されていると、記録装置４側から時刻データが付加されたタイムスタンプ付きの画像データが表示装置５にリアルタイムに送信可能となり、表示装置５では画像データ（ＪＰＥＧデータ）を伸張して、例えば画像の下の部分に受信した時刻が表示されるようにする。
【００３５】
このように本実施例では、記録装置４はカプセル３から送信される画像データを受信した時刻を付加したタイムスタンプ付き画像データとしてＰＣカードメモリ４５に保存する。
【００３６】
また、本実施例では、記録装置４に表示装置５が着脱自在であり、表示装置５が接続されている場合には、タイムスタンプ付き画像データをＰＣカードメモリ４５に保存すると共に、表示装置５に送信し、表示装置５のモニタ５５に画像を表示してリアルタイムに画像の確認ができるようにしている。
【００３７】
また、リアルタイムに画像の確認を必要としない場合には、記録装置４からＵＳＢケーブル２６を外して表示装置５と切り離すことができ、例えば患者にとって表示装置５と接続するＵＳＢケーブル２６を接続しなくても済み、患者に負担をかけないようにでき、操作性（使い勝手）を向上できるようにしている。
【００３８】
なお、この場合もタイムスタンプ付き画像データをＰＣカードメモリ４５に保存することで、ＵＳＢケーブル２６を接続することなく、ＰＣカード装置等によりＰＣカードメモリ４５の画像データを通信Ｉ／Ｆ部６１を介して表示装置５に転送することができる。
【００３９】
また、図示はしないが、通信Ｉ／Ｆ部６１にＤＶＤ装置を接続することで、データベース部６０に記録した画像データ等をダウンロードしてＤＶＤ６２にバックアップすることが可能となっている。
【００４０】
なお、ＤＶＤ装置は、ＤＶＤに限らず、例えばＣＤ−Ｒ，ＣＤ−ＲＷ，ＨＤ−ＤＶＤ，ブルーレイディスク等、光学的ディスク型記録媒体あるいは装置でもよい。ＨＤ−ＤＶＤ，ブルーレイディスク等ではより多くの画像データを記録できる。
【００４１】
（作用）
カプセル３で体内を検査する場合、最初にその動作を確認する場合には、図２に示すように記録装置４と表示装置５とをＵＳＢケーブル２６で接続し、両装置４，５の電源をＯＮにすると共に、カプセル３の電源をＯＮにする。この場合、記録装置４を患者の白衣等に取り付ける。
【００４２】
ＣＰＵ４０はカプセル３から送信される画像データを受信すると、その画像データにＲＴＣ４２の時刻データを読み込んでタイムスタンプを付加した画像データにして記録装置４内部のＰＣカードメモリ４５に保存すると共に、ＵＳＢケーブル２６を介して表示装置５にもそのタイムスタンプが付加された画像データを送信する。表示装置５では、画像を受信時刻が重畳された状態で表示する。
【００４３】
従って、表示装置５を記録装置４に接続することにより、医療スタッフは殆どリアルタイムにカプセル３により撮像した画像を確認することができるし、またその画像の取得時刻も知ることができる。
【００４４】
その後、患者はこのカプセル３を飲み込み、その状態でも同様にカプセル３により撮像した画像を確認でき、またその画像の取得時刻も知ることができること等が確認でき、画像をモニタする必要が無い状態になったらＵＳＢケーブル２６を記録装置４から取り外し、患者の負担を軽減する。
【００４５】
従って、カプセル３や記録装置４及び表示装置による動作の確認が、カプセル３を患者が飲み込んだ後においてもできた場合には、記録装置４と表示装置５とを接続するＵＳＢケーブル２６を記録装置４から外すようにすれば、患者にとってＵＳＢケーブル２６が接続されなくなるので、その負担を軽減できる。そして、その状態で記録装置４により撮像した画像データをＰＣカードメモリ４５に蓄積することができる。
【００４６】
このように処理することで、動作確認を行いたいような場合には、記録装置４と表示装置５とをＵＳＢケーブル２６により接続することにより、記録装置４で受信したカプセル３からの画像データに受信時刻を付加した状態でＰＣカードメモリ４５に保存すると共に、表示装置５のモニタ５５でリアルタイムでその画像を表示することができる。
【００４７】
また、モニタ５５でリアルタイムに画像の確認をすることを必要としない場合には、ＵＳＢケーブル２６を外すことにより、記録装置４のみで必要とされる画像データをＰＣカードメモリ４５に保存できると共に、表示機能を有しない状態にできるので、大型化することなく、患者に対して使い勝手の良い状態で使用することができる。
【００４８】
次に、本実施例における各装置４、５、７での画像データ（生体情報）の格納方法について説明する。
【００４９】
図３に示すように、記録装置４では、ＰＣカードメモリ４５においてヘッダ部１０１に患者データを有する領域を確保し、カプセル３からの画像データを受信時刻を付加した状態で、画像データ（生体情報）である第１のカプセル画像データ１０３（１）、第２のカプセル画像データ１０３（２）…、というように、検査が終了するまで順次保存し、カプセル検査データ１０５として格納する。
【００５０】
なお、ヘッダ部１０１に格納される患者データは予め患者毎に付与される。例えばＰＣカードメモリ４５を表示装置５にＰＣカード装置（図示せず）及び通信Ｉ／Ｆ部６１を介して接続し、キーボード５７及びマウス５８等により患者データ入力することで、ヘッダ部１０１に患者データが付与される。
【００５１】
このようにして、カプセル３による検査が終了すると、図３に示すように、ＰＣカードメモリ４５にはカプセル３から送信された例えばｎ個のカプセル画像データ１０３がカプセル検査データ１０５として記録されることになる。
【００５２】
そして、図４に示すように、ステップＳ１にて記録装置４と表示装置５とをＵＳＢケーブル２６により接続し、ステップＳ２にて表示装置５から記録装置４に患者データを入力することで、ステップＳ３にてＰＣカードメモリ４５に記録された患者の全カプセル画像データ１０３を表示装置５に転送する。
【００５３】
そして、ステップＳ４にて表示装置５では、図５に示すように、患者データに基づき患者毎の複数の、全カプセル画像データ１０３からなるカプセル検査データ１０５（図５では患者ｉのカプセル検査データ（ｉ＝ａ〜ｍ））をデータベース部６０に格納する。
【００５４】
記録装置４では、ステップＳ５にて表示装置５にカプセル検査データ１０５を送信後、ＰＣカードメモリ４５内の画像データ１０３とデータベース部６０内の画像データ１０３とのベリファイを実行し、データベース部６０内への画像データ１０３の格納が正常に終了したと判断すると、ステップＳ６にてＰＣカードメモリ４５を初期化し、画像データ１０３を消去する。このＰＣカードメモリ４５の初期化により、ＰＣカードメモリ４５を他の検査に有効に利用することが可能となる。
【００５５】
次に、カプセル検査データ１０５を正常にデータベース部６０に格納した表示装置５でのデータ処理について説明する。
【００５６】
図６及び図７に示すように、表示装置５では、ステップＳ１１にてデータベース部６０に格納されているレポート作成ソフトを起動する。このレポート作成ソフトは、カプセル画像データに基づく図８に示すようなカプセル内視鏡検査レポート１５０を生成するアプリケーションソフトウエアである。
【００５７】
そして、ステップＳ１２にてレポート作成ソフトにおいてキーボード５７及びマウス５８等により患者データを入力することで、ステップＳ１３にて患者データを元にデータベース部６０より対象となる患者のカプセル検査データ１０５を読み出す。ここで、後述する説明を簡略化するため、対象となる患者を「患者ｂ」とする。
【００５８】
次に、ステップＳ１４にてｉを１にセットし、ステップＳ１５にてカプセル検査データ１０５の第ｉのカプセル画像データ１０３（ｉ）を、レポート作成ソフトにより展開される、図９に示すようなウインドウ２０１上に表示させる。
【００５９】
このウインドウ２０１は、患者データ、検査データ及び所見等を入力／表示する文字情報エリア２０２と、画像データの撮影位置を入力する撮影位置入力エリア２０３と、第ｉのカプセル画像データ１０３（ｉ）を表示する画像表示エリア２０４と有しており、モニタ５５上に表示される。
【００６０】
画像表示エリア２０４には、第ｉのカプセル画像データ１０３（ｉ）の前後のカプセル画像データを画像表示エリア２０４に表示させるための表示操作ボタン群２０５と、画像表示エリア２０４に表示されている画像データの保存を指定する保存チェックボックス２０６と、画像表示エリア２０４に表示されている画像データの消去防止を指定する読み取り専用チェックボックス２０７等が設けられている。
【００６１】
また、ウインドウ２０１には、画像編集ボタン２００が設けられており、マウス５８等によりポインタ２０８を操作し画像編集ボタン２００を選択することで、図１０に示すような画像編集ウインドウ１８０をウインドウ２０１上に展開でき、この画像編集ウインドウ１８０により第ｉのカプセル画像データ１０３（ｉ）の色調及びエンハンス（画像強調）処理を行うことが可能となっている。
【００６２】
そこで、表示装置５では、ステップＳ１６にてマウス５８等によるポインタ２０８の操作での保存チェックボックス２０６あるいは読み取り専用チェックボックス２０７のチェック、または画像編集ボタン２００による編集が行われ、ステップＳ１７にてボックスチェック状態及び編集結果を第ｉのカプセル画像データ１０３（ｉ）に反映させるかどうかを、画像表示エリア２０４に設けられた更新ボタン２０９がマウス５８等によるポインタ２０８の操作で選択されたかどうかで判断する。
【００６３】
更新ボタン２０９が選択されると、ステップＳ１８にて第ｉのカプセル画像データ１０３（ｉ）の編集結果を反映させ、かつ、保存属性及び消去防止属性が付与されてデータベース部６０内の患者ｂの第ｉのカプセル画像データ１０３（ｉ）が更新／保存される。
【００６４】
なお、保存属性は保存チェックボックス２０６がチェックされている場合、また消去防止属性は読み取り専用チェックボックス２０７がチェックされている場合に、それぞれ第ｉのカプセル画像データ１０３（ｉ）に付与される。
【００６５】
なお、デフォルトでは読み取り専用チェックボックス２０７がチェック済みとなっており、意識的に読み取り専用チェックボックス２０７のチェックを消さない限り消去防止属性が付与され、意図しない操作により画像データが消去されることを防止している。
【００６６】
そして、ステップＳ１９にてｉをインクリメントし、ステップＳ２０にてｉがｎを超えたかどうか判断し、ｉがｎ以下ならばステップＳ１５に戻り、ｉがｎを超えたならば図７のステップＳ２１に進む。
【００６７】
患者ｂのカプセル検査データ１０５の全てのカプセル画像データ１０３に対して上記処理により属性付与あるいは編集がなされると、図１１に示すようなデータ転送指示ウインドウ２１０がウインドウ２０１上に表示され、ステップＳ２１にてこのデータ転送指示ウインドウ２１０の転送ボタン２１１がマウス５８等によるポインタ２０８の操作で選択されると、ステップＳ２２にてデータサーバ７に保存属性を有する全カプセル画像データを転送する。
【００６８】
データサーバ７では、図１２に示すように、患者データを有するヘッダ部１０１及び保存属性を有する全カプセル画像データ１０３とをカプセル検査保存データ２２０としてデータベース化して大容量記録装置７ａに格納する。
【００６９】
なお、図１２は、第１、第３、第６、…、第ｋのカプセル画像データ１０３（１）、（３）、（６）、…、（ｋ）に保存属性が付与された際の患者ｂのカプセル検査保存データ２２０の構造を示している。
【００７０】
また、図１３は、例えば内視鏡検査システム８ａにて得られた患者Ａ，Ｂ，…，の内視鏡画像データからなる内視鏡検査保存データ２２１Ａ，２２１Ｂ，…，患者ａの内視鏡検査保存データ２２１ａ及びカプセル検査保存データ２２０ａ、患者ｂの内視鏡検査保存データ２２１ｂに続いて、上記の処理により患者ｂのカプセル検査保存データ２２０ｂがデータサーバ７の大容量記録装置７ａに格納された状態を示している。
【００７１】
続いて、ステップＳ２３にて記録装置５にＤＶＤ装置を介してＤＶＤ６２がマウントされているかどうか判断し、ＤＶＤ６２がマウントされている場合には、ステップＳ２４にて患者ｂの記録装置５のデータベース部６０に記録されている患者ｂの全てのカプセル画像データ１０３（ヘッダ部１０１の患者データを含む）をＤＶＤ６２にダウンロードしてバックアップし全のカプセル画像データ１０３の消去防止属性を無効としてステップＳ２５に進み、ＤＶＤ６２がマウントされていない場合には、そのまま処理を終了する。
【００７２】
そして、ステップＳ２５にて、図１４に示すように、患者ｂのカプセル検査データ１０５を表示装置５のデータベース部６０より消去し、処理を終了する。
【００７３】
（効果）
このように本実施例によれば、記録装置４では、カプセル画像データ１０３を記録装置４より表示装置５のデータベース部６０に転送すると、ＰＣカードメモリ４５を初期化するので、ＰＣカードメモリ４５を次の検査に容易かつ効率的に使用できる。
【００７４】
また、表示装置５では、データベース部６０の患者ｂのカプセル検査データ１０５をデータサーバ７に転送し、全てのカプセル画像データ１０３がＤＶＤ６２にダウンロードされ、データのバックアップされると、データベース部６０より患者ｂのカプセル検査データ１０５を消去するので、図１４に示したように、データベース部６０の空き領域２５０が増えるので、データベース部６０を効率的に使用できる。
【００７５】
さらに、データサーバ７では、表示装置５より転送されるカプセル検査保存データ２２０が、表示装置５において保存を要するカプセル画像データ１０３のみからなるために、データサーバ７の記録領域を効率的に使用できる。
【実施例２】
【００７６】
図１５及び図１６は本発明の実施例２に係わり、図１５は記録装置のＰＣカードメモリに格納されるデータのデータ構造を示す図、図１６は図１５の病院ＩＤ及び医師ＩＤの認証を実行し記録装置から表示装置へのデータ転送を行う処理の流れを示すフローチャートである。
【００７７】
実施例２は、実施例１とほとんど同じであるので、異なる点のみ説明する。
【００７８】
（構成・作用）
図１５に示すように、本実施例では、カプセル検査データ１０５のヘッダ部１０１が病院を識別する病院ＩＤ及び医師を識別する医師ＩＤからなるＩＤデータ領域３００と患者データのための患者データ領域３０１からなり、病院ＩＤ、医師ＩＤ及び患者データは、検査前に予め表示装置５よりＰＣカードメモリ４５上に格納される。
【００７９】
そして、検査が終わり、ＰＣカードメモリ４５上に複数のカプセル画像データ１０３が記録されると、図１６に示すように、ステップＳ３１にて記録装置４と表示装置５とをＵＳＢケーブル２６を介して接続する。そして、表示装置５がカプセル画像データ１０３をダウンロードする際には、ステップＳ３２にて記録装置４が表示装置５に対して病院ＩＤ及び医師ＩＤを要求する。この要求に対して、ステップＳ３３にて表示装置５より記録装置４に病院ＩＤ及び医師ＩＤを送信すると、ステップＳ３４にて表示装置５は表示装置５からの病院ＩＤ及び医師ＩＤをヘッダ部１０１の病院ＩＤ及び医師ＩＤと比較し、病院ＩＤ及び医師ＩＤの認証を行い、病院ＩＤ及び医師ＩＤが承認されるとステップＳ２に進み、ステップＳ３２戻る。ステップＳ２〜Ｓ６の処理は実施例１（図３参照）と同じであるので説明は省略する。
【００８０】
（効果）
このように本実施例では、実施例１の効果に加え、記録装置４から表示装置５へのカプセル画像データ１０３の転送許可を、患者データだけでなく、病院ＩＤ及び医師ＩＤによりチェックするので、カプセル画像データ１０３のセキュリティ管理を向上させることができる。
【００８１】
なお、上記各実施例では、第１の生体情報格納手段をＰＣカードメモリ４５より構成し記録装置４に設け、第２の生体情報格納手段をデータベース部６０より構成し表示装置５に設け、さらに第３の生体情報格納手段を大容量記録装置７ａより構成しデータサーバ７に設けるとしたが、これに限らず、以下の構成例（１）〜（５）ように、構成しても良い。
【００８２】
構成例（１）：
図１７に示すように、第１の生体情報格納手段であるデータベース部６０と第２の生体情報格納手段である大容量記録装置７ａとを表示装置５に設けてカプセル型医療システム１を構成する。
【００８３】
構成例（２）：
図１８に示すように、第２の生体情報格納手段である大容量記録装置７ａを表示装置５に設けてカプセル型医療システム１を構成する。
【００８４】
構成例（３）：
図１９に示すように、表示装置５にカプセル３との無線交信手段５００を設け、第１の生体情報格納手段であるデータベース部６０と第２の生体情報格納手段である大容量記録装置７ａとを表示装置５に設けてカプセル型医療システム１を構成する。
【００８５】
構成例（４）：
図２０に示すように、表示装置５にカプセル３との無線交信手段５００を設けてカプセル型医療システム１を構成する。
【００８６】
構成例（５）：
図２１に示すように、カプセル３に第１の生体情報格納手段をＰＣカードメモリ４５を設け、カプセル３との無線交信手段５００と第１の生体情報格納手段であるデータベース部６０と第２の生体情報格納手段である大容量記録装置７ａとを表示装置５に設けてカプセル型医療システム１を構成する。
【００８７】
なお、上記各実施例では、生体情報としてカプセル（内視鏡）画像の静止画像を例に説明したが、これに限らず、カプセル（内視鏡）画像の動画像でもよく、またカプセル３に各種センサを設けることで、ＰＨデータ、体温データ、血液／ヘモグロビン分析データ、飽和酸素濃度データ、タンパク質分析データ等を生体情報としてもよい。
【００８８】
［付記］
（付記項１）  嚥下または体内挿入可能なカプセルから送られてきた複数の生体情報を受信する生体情報受信工程と、
前記生体情報受信工程で受信した前記複数の生体情報を第１の生体情報格納手段に格納する生体情報格納工程と、
前記第１の生体情報格納手段に格納された前記複数の生体情報のうちの所望の生体情報を選択する情報選択工程と、
前記情報選択工程で選択された前記所望の生体情報を第２の生体情報格納手段に送信する情報送信工程と
を備えたことを特徴とするカプセル型医療システムの生体情報格納方法。
【００８９】
本発明は、上述した実施例に限定されるものではなく、本発明の要旨を変えない範囲において、種々の変更、改変等が可能である。
【図面の簡単な説明】
【００９０】
【図１】本発明の実施例１に係るカプセル型医療システムの構成を示すブロック図
【図２】図１の記録装置及び表示装置の構成を示すブロック図
【図３】図２の記録装置のＰＣカードメモリに格納されるデータのデータ構造を示す図
【図４】図２の記録装置から表示装置へのデータ転送処理の流れを示すフローチャート
【図５】図４の処理で表示装置に転送され表示装置のデータベース部に格納されるデータのデータ構造を示す図
【図６】図１の表示装置でのデータ処理及びデータサーバへのデータ転送処理の流れを示す第１のフローチャート
【図７】図１の表示装置でのデータ処理及びデータサーバへのデータ転送処理の流れを示す第２のフローチャート
【図８】図５の処理で表示装置で生成されるカプセル内視鏡検査レポートを示す図
【図９】図５の処理で表示装置に展開されるウインドウを示す第１の図
【図１０】図５の処理で表示装置に展開されるウインドウを示す第２の図
【図１１】図５の処理で表示装置に展開されるウインドウを示す第３の図
【図１２】図５の処理で生成されるカプセル検査保存データのデータ構造を示す図
【図１３】図５の処理でデータサーバの大容量記録装置に格納されるデータのデータ構造を示す図
【図１４】図５の処理で更新された表示装置のデータベース部内のデータのデータ構造を示す図
【図１５】本発明の実施例２に係る記録装置のＰＣカードメモリに格納されるデータのデータ構造を示す図
【図１６】図１５の病院ＩＤ及び医師ＩＤの認証を実行し記録装置から表示装置へのデータ転送を行う処理の流れを示すフローチャート
【図１７】図１のカプセル型医療システムの第１の変形例の構成を示すブロック図
【図１８】図１のカプセル型医療システムの第２の変形例の構成を示すブロック図
【図１９】図１のカプセル型医療システムの第３の変形例の構成を示すブロック図
【図２０】図１のカプセル型医療システムの第４の変形例の構成を示すブロック図
【図２１】図１のカプセル型医療システムの第５の変形例の構成を示すブロック図
【符号の説明】
【００９１】
１…カプセル型医療装置
３…カプセル（型体内ユニット）
４…記録装置
５…表示装置
６…体外装置
７…データサーバ
７ａ…大容量記録装置
８ａ…内視鏡システム
８ｂ…カンファレンスユニット
８ｃ…予約システム
９…院内ＬＡＮ
１０…収納容器
１１…照明＆観察窓
１２…対物光学系
１３…白色ＬＥＤ
１４…ＣＭＯＳセンサ
１５…信号処理回路
１６…通信回路
１７…電池
１８…アンテナ
１９…スイッチ
２１ａ〜２１ｃ…アンテナ
２２…アンテナユニット
２３…筐体
２４…記録処理ブロック
２５…電源ブロック
２６…ＵＳＢケーブル
３２…アンテナセレクタ
３３…ＲＦ回路
４０，４１…ＣＰＵ
４２…ＲＴＣ
４３…アドレスセレクタ
４５…ＰＣカードメモリ
４８、５１…ＵＳＢ  Ｉ／Ｆ部
５２…ＣＰＵ
５４…映像信号発生回路
５５…モニタ
５７…キーボード
５８…マウス
５９…入力Ｉ／Ｆ回路
６０…データベース部
６１、６３…通信Ｉ／Ｆ部
６２…ＤＶＤ
７０…バス
代理人    弁理士    伊藤  進
【図１】
2006020971.tif 000003
【図２】
2006020971.tif 000004
【図３】
2006020971.tif 000005
【図４】
2006020971.tif 000006
【図５】
2006020971.tif 000007
【図６】
2006020971.tif 000008
【図７】
2006020971.tif 000009
【図８】
2006020971.tif 000010
【図９】
2006020971.tif 000011
【図１０】
2006020971.tif 000012
【図１１】
2006020971.tif 000013
【図１２】
2006020971.tif 000014
【図１３】
2006020971.tif 000015
【図１４】
2006020971.tif 000016
【図１５】
2006020971.tif 000017
【図１６】
2006020971.tif 000018
【図１７】
2006020971.tif 000019
【図１８】
2006020971.tif 000020
【図１９】
2006020971.tif 000021
【図２０】
2006020971.tif 000022
【図２１】
2006020971.tif 000023